(57)【要約】      （修正有）【課題】対象獣類以外の錯誤捕獲対策と捕獲個体の損傷に配慮した獣類捕獲装置を提供する。【解決手段】獣類捕獲装置は、捕獲装置とカゴ、杭を組み合わせて構成され、自立型の装置としたことから捕獲対象の獣種に応じて効果的な設置環境が選択可能であり、カゴ内に誘引物３１を入れて誘導することで対象獣類を絞り込み選択的に捕獲することで錯誤捕獲の発生を防ぐことができる。さらに、圧縮コイルバネ１ｂを用いることで角のあるオスのニホンジカＤも首輪状になるくくり輪１００ａで捕獲することができる。加えて、首輪状であることで足をくくるよりも捕獲個体の損傷を抑えることができ、締め付け防止金具１００ｂでくくり輪１００ａの大きさを容易に変えられることから様々な獣種、性別の捕獲に対応できる装置とした。【選択図】図７
0003229311.tif 000002
【実用新案登録請求の範囲】
【請求項１】
地上に設けられる獣類捕獲装置であって、圧縮コイルバネを押し込むことで締め込み可能なくくり輪からなる捕獲装置と、前記くくり輪がその上縁に添えられ誘引物を入れることのできるカゴと、前記捕獲装置と前記カゴを固定する杭とからなる自立型を特徴とする獣類捕獲装置。
【請求項２】
前記捕獲装置はセンサ部と、バネ解除部と、締め付け防止金具と前記カゴと接続される仕掛け糸とからなり、前記カゴ内に入れられた誘引物を食べようとした獣類が、前記カゴに取り付けられた前記仕掛け糸に触ることにより、獣類を感知して前記センサ部が下動し、前記バネ解除部が作動することにより押し込まれていた前記圧縮コイルバネが解放されることで獣類の首がくくられ、さらに前記くくり輪に締め付け防止金具を取り付けることにより前記くくり輪の大きさを容易に変えられ、首の太さの異なる獣類を捕獲することを特徴とする請求項１記載の獣類捕獲装置。
【考案の詳細な説明】
【技術分野】
【０００１】  本考案は、ニホンジカ、キョン等の野生獣類を捕獲するため用いられ、首輪状になるワイヤで首をくくって捕獲するため足くくりわなと比較し錯誤捕獲を減らすことができ、かつ捕獲個体の損傷を抑えることができる装置である。加えて木杭を組み合わせることにより自立型としたことで、立木や傾斜など設置条件を選ばす設置可能な自立型獣類捕獲装置に関するものである。
【背景技術】
【０００２】  近年、狩猟人口の減少や狩猟者の高齢化に起因して、野生獣類の個体数が急激に増加している。特に、ニホンジカの個体数増加は顕著であり、農作物被害、植林被害が後を絶たない状況にある。【０００３】  このような状況の解決策として、捕獲が推進されている。野生獣類の捕獲の方法として、大きく分けて銃器を用いた捕獲方法とわなを用いた捕獲方法がある。わなを用いた捕獲方法の中にくくりわながあり、一般的には足くくりわなが多用されている。足くくりわなでは、体重やくくりわなの径の大きさにより錯誤捕獲を防止する改良がなされてるものの、獣種を選択的に捕獲することが難しく捕獲対象ではない獣類が捕獲されてしまう錯誤捕獲が課題になっている（例えば特許文献１参照）。【０００４】  以上のような錯誤捕獲対策として餌による誘引を行い、捕獲対象獣類を選択的に捕獲する対策も試みられている。誘引物を用いた対策では例えば首輪式わな（例えば特許文献２参照）が知られている。
【先行技術文献】
【特許文献】
【０００５】
【特許文献１】特開平１１−１２７７６０号公報
【特許文献２】特開昭５１−５１４６６号公報
【考案の概要】
【考案が解決しようとする課題】
【０００６】  ところが、前記特許文献１の装置はイノシシやニホンジカ等の大型の獣類を捕獲対象としている足くくりわなであり、体重の重さによる選別ができる構造になっているが、体重の重さによる差がない獣類の錯誤捕獲が発生する可能性が高い。対象以外の獣類はできる限り傷つけず放獣することが望ましいが、足をくくって捕獲することにより足の脱臼や、足首が千切れるなど捕獲個体の損傷が激しく放獣しても野生化で生存することが難しくなってしまうという課題は解決がなされていない。【０００７】  また、野生獣類の行動調査をする場合は、ＧＰＳ首輪等を装着するために生体捕獲をする必要があるが、調査に影響がないよう、個体の損傷を最小限に抑えた捕獲の方法が求められており、足くくりわなでの捕獲では対応が難しいといった課題もある。【０００８】  さらには、特許文献２の装置は首輪の大きさを容易に変更できない構造であり、角のあるオスのニホンジカを捕獲する場合、わなの構造として角にかかる前に首輪が閉まってしまい捕獲できないという課題があり、これらに本考案の解決すべき課題がある。
【課題を解決するための手段】
【０００９】  本考案は上述した課題を解決し、様々な獣種、性別の捕獲に対応できることを目的として案出された装置である。加えて、首を首輪状のワイヤでくくることで捕獲個体の損傷を抑え錯誤捕獲に考慮しながら捕獲が可能となる自立型獣類捕獲装置を提供することを目的としている。【００１０】  請求項１の考案は、圧縮コイルバネを押し込むことで締め込み可能なくくり輪からなる捕獲装置と、くくり輪がその上縁に添えられ誘引物を入れることのできるカゴと、捕獲装置とカゴを固定する木杭とからなり、木杭をニホンジカであればササ地のように多様な環境に設置できることで、捕獲獣類ごとの生息環境に応じた場所に設置できる自立性を有している。【００１１】  請求項２の考案は、センサ部と、バネ解除部と、締め付け防止金具とカゴと接続される仕掛け糸とからなる、カゴ内に入れられた誘引物を食べようとした獣類が、カゴに取り付けられた仕掛け糸に触ることにより、獣類を感知してセンサ部が下動し、バネ解除部が作動することにより押し込まれていた圧縮コイルバネが解放されることで獣類の首がくくられ、さらにくくり輪に締め付け防止金具を取り付けることによりくくり輪の大きさを容易に変えられ、首の太さの異なる獣類を捕獲する。
【考案の効果】
【００１２】  請求項１の考案により、樹木の根の混み合い具合などにより足くくりわなの設置が制限される環境において、捕獲装置、カゴ、木杭を組み合わせることにより設置場所を自由に選択することができ、捕獲獣種に応じ、野生獣類に警戒されにくい場所を選択して設置することができる。また誘引物を入れることのできるカゴを用いることにより、誘引物を好む獣類のみを選択的にカゴ内へ誘導することで、錯誤捕獲を抑制することができ、さらには上縁部の直径の大きいカゴと、圧縮コイルバネを用いることで直進性が得られ角のあるオスのニホンジカも角の上から首輪状のワイヤをかけることができる。【００１３】  請求項２の考案により、カゴ内の獣類の接触を感知することができ、くくり輪の絞り動作を感度良く行うことができる。また、締め付け防止金具を取り付け、締め付け時のくくり輪の大きさを変えることにより首周囲の太さに依存せず捕獲することができる。
【図面の簡単な説明】
【００１４】
【図１】自立型獣類捕獲装置の（Ａ）は組み立てる前の状態、（Ｂ）は現場に設置した状態を示す図である。
【図２】捕獲装置の（Ａ）は作動前の状態、（Ｂ）は作動後の状態を示す図である。
【図３】可動部の（Ａ）は作動前の状態、（Ｂ）は作動後の状態を示す図である。
【図４】カゴを取り付ける台座を木杭に取り付けた（Ａ）は右側面、（Ｂ）は背面、（Ｃ）は左側面を示す図である。
【図５】カゴを示す斜面図である。
【図６】ニホンジカが捕獲される前の状態を示す図である。
【図７】ニホンジカが捕獲された状態を示す図である。
【考案を実施するための形態】
【００１５】  以下の説明において、「自立型」とは、設置にあたり構成物以外に支えるものがなく、その構成物だけで立っていることをいう。
【実施例】
【００１６】  以下、本考案の実施形態について、図面に基づいて説明する。図１（Ａ）は自立型獣類捕獲装置を組み合わせる前の状態を示す図である、自立型獣類捕獲装置は自立装置２の左側面に捕獲装置１を取り付け、正面にカゴ３を取り付けることで構成されている。自立装置２は地面Ｇに埋めた木杭２１に取り付けることで自立する。図中のＴは木を、Ｇは地面を意味する。図１（Ｂ）は組み合わせた後、現場に設置した状態を示す図である。【００１７】  図２（Ａ）は、捕獲装置１の作動前の状態を示し、図２（Ｂ）は、作動後の状態を示す図である。捕獲装置１を詳細に説明すると、捕獲装置１は円筒形状のものであって、収納筒１ａ、圧縮コイルバネ１ｂ、押しパイプ１ｃ、くくり輪１００ａから構成されており、圧縮コイルバネ１ｂを押し込むことで締め込み可能なくくり輪１００ａ、圧縮コイルバネ１ｂと押しパイプ１ｃを収納し圧縮コイルバネ１ｂが解放される際に、直進性を得るために押しパイプ１ｃと収納筒１ａを設けた。また、捕獲された獣類が逃げないために、くくり輪１００ａは端部に設けられたより戻し金具１００ｅをアンカーとなる木Ｔなどに固定した。【００１８】  図２（Ａ）において、くくり輪１００ａをカゴ３の上縁に沿えた後、長さ調整金具１００ｄで、余ったくくり輪１００ａは、より戻し金具１００ｅ側にある長さ調整金具１００ｄで調整した。スペーサー１００ｃは長さ調整金具１００ｄの操作を行いやすくするために設けたものである。【００１９】  図２（Ａ）において、くくり輪１００ａは、法律で定められた太さ４ｍｍ以上の金属製ワイヤを用い、くくり輪１００ａの締め込み過ぎを防ぐために締め付け防止金具１００ｂが設けられている。本考案の形態では、この締め付け防止金具１００ｂの位置を捕獲対象となる獣類の首の太さに合わせて変えることでくくり輪１００ａの大きさを変えることができる。また、くくり輪１００ａを首輪状にすることで捕獲個体の損傷を抑えることができる。【００２０】  図２（Ａ）において、締め付け防止金具１００ｂの取り付け位置を調整し、作動後のくくり輪１００ａを小さくすることでキョンのような首の太さの小さい獣類に対応でき、作動後のくくり輪１００ａを大きくすることで首の太さの大きいのニホンジカＤにも対応できるようになっている。【００２１】  図２（Ｂ）において、押しパイプ１ｃを収納筒１ａの３／４の長さにすることで圧縮コイルバネ１ｂが伸縮する際、収納筒１ａとの間でガイドの役割を果たし直進性が得られる。【００２２】  図３は可動部１０の詳細図である。図３（Ａ）は可動部１０が作動前の状態、図３（Ｂ）は可動部１０が作動後の状態を示す図である。収納筒１ａの側面には可動部１０があり、可動部１０は解除部１０ａ、センサ部１０ｂ、補助ワイヤ１０ｃから構成されている。可動部１０はセンサ部１０ｂ、解除部１０ａ、補助ワイヤ１０ｃで圧縮コイルバネ１ｂの拡開力を押さえてある。【００２３】  図３（Ａ）において、可動部１０を作動前の状態にする場合、解除部１０ａがＲ方向に作動しないよう解除部１０ａの下部を補助ワイヤ１０ｃに針金などで止めておくことで意図しない状態での作動が防止される。【００２４】  図３（Ｂ）において、可動部１０の作動順序は、獣類が仕掛け糸３ｃを触ったことに基づいてセンサ部１０ｂがＸ方向に下動することで圧縮コイルバネ１ｂの拡開力を抑えていた解除部１０ａがＲ方向に外れる。解除部１０ａが外れることにより、圧縮コイルバネ１ｂの拡開力が解放され、くくり輪１００ａが締め込まれ首輪状になることで、捕獲するように構成されている。【００２５】  図４は自立装置２を示す詳細図であり、図４（Ａ）は右側面、図４（Ｂ）は背面、図４（Ｃ）は左側面を示す図である。自立装置２は、カゴ３を固定する台座２０ａ、台座２０ａと木杭２１を固定する台座固定ネジ２０ｂ、固定くさび２０ｃ、補助ワイヤ引っ掛け金具２ｃ、筒止め金具２ａ、筒押え金具２ｂ、筒置金具２ｄから構成されている。【００２６】  図４（Ａ）において、木杭２１は、上端から５ｃｍごとに穴が開いており地面の硬さによる木杭２１の打ち込む高さの変化に対応できるように構成されている。また、木杭２１を設けることにより任意の場所に設置ができる。【００２７】  図５はカゴ３を示す斜面図である。カゴ３は、固定ゴム３ａ、針金３ｂ、仕掛け糸３ｃ、張り調整金具３ｄから構成されている。
固定ゴム３ａはくくり輪１００ａをカゴ３の上縁に沿えられるように設けられ、カゴ３の中に誘引物３１を入れることにより、誘引された獣類の反応を仕掛け糸３ｃにより感知し、糸滑らせ金具２０ｄを通り捕獲装置１の側面に備えられているセンサ部１０ｂに接続しセンサ部１０ｂが下動することにより捕獲装置１が作動する仕組みである。【００２８】  図５において、カゴ３を設けることでカゴ３の中に誘引物３１を入れることができる。カゴ３は外部からの視認性が低い網目状の物を使用することで誘引物３１の視認性や匂いがわかりやすいことから獣類に発見されやすい。また、誘引物３１を変えることで捕獲獣類も選択できる。【００２９】  図５において、補助ワイヤ引っ掛け金具２ｃは補助ワイヤ１０ｃをかけることでセンサ部１０ｂが下動する際、収納筒１ａに接触し作動の抵抗になることを防ぐために設けた。【００３０】  図５において、筒置金具２ｄは下部のＵ字部分の内側にくくり輪１００ａを通すことで捕獲装置１の作動時に下方向にかかる力が抑制される。また、筒押え金具２ｂは最後に取り付ける金具で収納筒１ａの固定を補強するために設けた。また、台座固定ネジ２０ｂは鍋状のオスネジを自立装置２の左側面から設置することで収納筒１ａがネジの頭に乗り上げ、筒止め金具２ａに挟まれ固定することができる。また、糸滑らせ金具２０ｄは仕掛け糸３ｃの動作を円滑にするために設けた。【００３１】  図５において、カゴ３は捕獲対象獣類に合わせて大きさを変更できる。本考案では市販の高さ２４０ｃｍ×幅４１０ｃｍ×奥行３３０ｃｍ、容量約２１リットルの自転車用のカゴを用いた。その他にも網目状で誘引物３１を置くことができ、くくり輪１００ａを上縁に添わせることができる小さい自転車カゴや買い物カゴ、ごみ箱などでも代用ができる。【００３２】  図５において、仕掛け糸３ｃは伸び縮みしにくい糸状の物を使用した。仕掛け糸３ｃの張り具合は、張り調整金具３ｄによりセンサ部１０ｂの作動感度を調整できるようになっている。【００３３】  図６は捕獲装置１が作動する前の状態を示す図である。図中のＴは木を、Ｇは地面を、Ｄはニホンジカを意味する。図６において、獣類が仕掛け糸３ｃに触ることで仕掛け糸３ｃが引っ張られセンサ部１０ｂを下動させることでセンサ部１０ｂが解除部１０ａから外れる。解除部１０ａから外れることで緊張状態にあった圧縮コイルバネ１ｂが解放され押しパイプ１ｃを伝いくくり輪１００ａを締めるように構成されている。【００３４】  図６において、木杭２１を設けることで自立型として機能し、任意の場所に設置できる。【００３５】  図７は捕獲装置１が作動した後の状態を示す図である。図中のＴは木を、Ｇは地面を、Ｄはニホンジカを意味する。性差がありオスに角のあるニホンジカやキョンを捕獲するときには首と角がくくられるため角から首までの太さにくくり輪を調整する必要がある。【００３６】  以上、本考案者らによってなされた考案を実施の形態に基づき具体的に説明したが、本考案は前記実施の形態に限定されるものではなく、その要旨を逸脱しない範囲で種々変更可能であることはいうまでもない。
【産業上の利用可能性】
【００３７】  本考案によれば、嗜好性を有する誘引物３１がある獣類（ニホンジカＤ、キョンなど）に対し選択的に捕獲を行えるため錯誤捕獲の可能性が低く、捕獲対象獣類の種や性別に合わせてくくり輪１００ａの大きさを変更できることから様々な個体の捕獲が可能であり、自立型であるため設置場所を自由に選択でき、視認性が低いため外観が環境に溶け込み獣類に警戒されにくいことから、この様な獣類の捕獲に適したくくりわなの作動装置及びくくりわなを提供することができる。
【符号の説明】
【００３８】１  捕獲装置
１ａ  収納筒
１ｂ  圧縮コイルバネ
１ｃ  押しパイプ
１０  可動部
１０ａ  解除部
１０ｂ  センサ部
１０ｃ  補助ワイヤ
１００ａ  くくり輪
１００ｂ  締め付け防止金具
１００ｃ  スペーサー
１００ｄ  長さ調整金具
１００ｅ  より戻し金具
２  自立装置
２ａ  筒止め金具
２ｂ  筒押え金具
２ｃ  補助ワイヤ引っ掛け金具
２ｄ  筒置金具
２０ａ  台座
２０ｂ  台座固定ネジ
２０ｃ  固定くさび
２０ｄ  糸滑らせ金具
２１  木杭
３  カゴ
３ａ  固定ゴム
３ｂ  針金
３ｃ  仕掛け糸
３ｄ  張り調整金具
３１  誘引物
Ｄ  ニホンジカ
Ｇ  地面
Ｔ  木
【図１】
0003229311.tif 000003
【図２】
0003229311.tif 000004
【図３】
0003229311.tif 000005
【図４】
0003229311.tif 000006
【図５】
0003229311.tif 000007
【図６】
0003229311.tif 000008
【図７】
0003229311.tif 000009